(57)【要約】【課題】センサーが直接排水にさらされることなく耐久性に優れ、且つ、誤動作を生じることのない重量式水位検出装置を提供する。【解決手段】水源１から送水先へ至る配管路２の途中において、上方部を流入口３ａとして上流側２ａへ接続し下方部を流出口３ｂとして下流側２ｂへ接続する計量筒３が設けられ、各接続部には可撓管４ａ，４ｂを介装させて重量変化で計量筒３が昇降作動し得る支承態様となし、水源１からの流入水の流量変化に伴う計量筒３の昇降作動を受けて作動するよう重量式センサー７を配備して、該重量式センサー７の検出した重量信号に基づき計量筒３内への流入水の筒内水位に置換判定するよう構成した。【選択図】        図１
2005140669.tif 000002
【特許請求の範囲】
【請求項１】
水源から送水先へ至る配管路中において、上方部を流入口として上流側へ接続し下方部を流出口として下流側へ接続する計量筒が設けられ、各接続部には可撓管を介装させて重量変化で計量筒が昇降作動し得る支承態様となし、水源からの流入水の流量変化に伴う計量筒の昇降作動を受けて作動するよう重量式センサーを配備して、該重量式センサーの検出した重量信号に基づき計量筒内への流入水の筒内水位に置換判定するよう構成したことを特徴とする重量式水位検出装置。
【請求項２】
水源から送水先へ至る配管路中において、上方部を流入口とし下方部を流出口とする縦長円筒状の計量筒がほぼ垂直状に立設せられ、流入口は計量筒の内壁一側部から接線方向へ導出されて可撓管を介して上流側と接続せられ、流出口は可撓管を介して下流側と接続されて、重量変化で計量筒が昇降作動し得る支承態様となし、水源からの流入水の流量変化に伴う計量筒の昇降作動を受けて作動するよう重量式センサーを配備して、該重量式センサーの検出した重量信号に基づき計量筒内への流入水の筒内水位に置換判定するよう構成したことを特徴とする重量式水位検出装置。
【請求項３】
計量筒は流入口から流出口へかけて旋回しつつ緩やかに下降するようスパイラルチューブ状に形成されていることを特徴とする請求項１記載の重量式水位検出装置。
【請求項４】
水源から送水先へ至る配管路中において、上方部を流入口として上流側へ接続し下方部を流出口とし可撓管を介して下流側へ接続する計量筒が設けられ、該計量管は流入口から下方部へかけて旋回しつつ緩やかに下降するようスパイラルチューブ状で且つ水源からの流入水の流量変化に伴う重量変化によって上下方向に伸縮作用する可撓構造に構成され、該伸縮作用を受けて作動するよう重量式センサーを計量筒の直下に配備して、該重量式センサーの検出した重量信号に基づき計量筒内への流入水の筒内水位に置換判定するよう構成したことを特徴とする重量式水位検出装置。
【請求項５】
計量筒の内周面には上方部から下方部へかけて螺旋状に下降するガイドプレートが付設されていることを特徴とする請求項２記載の重量式水位検出装置。
【請求項６】
計量筒は外側に付設されたサポーターおよび該サポーターと係合するガイドフックによって垂直姿勢を保持した状態で上下動し得るよう構成されていることを特徴とする請求項１ないし５記載の重量式水位検出装置。
【請求項７】
水源から送水先へ至る配管路中において、上方部を流入口として上流側へ接続し下方部を流出口とする計量筒が設けられ、該計量筒は上端部を固定体に支承され弾機を介して垂設されており、且つ、上流側および下流側への前記接続部にはそれぞれ可撓管が介装されて重量変化により計量筒が昇降作動し得る支承態様となし、水源からの流入水の流量変化に伴う計量筒の昇降作動を受けて作動するよう重量式センサーを配備して、該重量式センサーの検出した重量信号に基づき計量筒内への流入水の筒内水位に置換判定するよう構成したことを特徴とする重量式水位検出装置。
【請求項８】
水源から送水先へ至る配管路中において、傾斜状に横設された計量筒の上傾側を流入口として上流側へ接続し下傾側を流出口として下流側へ接続し、且つ、上流側および下流側への前記接続部にはそれぞれ可撓管が介装されて重量変化により計量筒の傾斜姿勢が変化し得る支承態様となし、水源からの流入水の流量変化に伴う計量筒の姿勢変化を受けて作動するよう重量式センサーを配備して、該重量式センサーの検出した重量信号に基づき計量筒内への流入水の筒内水位に置換判定するよう構成したことを特徴とする重量式水位検出装置。
【発明の詳細な説明】
【技術分野】
【０００１】
本発明は主として、建築物におけるトイレ、浴槽、洗濯機用パンなど各種排水源から排出される排水を下水本管へ圧送させるための排水ポンプの制御運転に供する重量式水位検出装置に関するものである。
【背景技術】
【０００２】
建築物等における、トイレ、浴槽、洗濯機用パンなど各種排水源からの排出される排水を排水ポンプによって下水本管へ圧送させるについて、配管路中に組込まれたフロート式センサーや静電容量式センサーの水位検出信号に基づき排水ポンプの運転制御を行わせるという技術思想は既に公知である（例えば、特許文献１参照）。しかし、可動部や感知部が配管路内に存在するこの種の装置では、生活排水にさらされて損傷が早く、また、混入している異物の付着によって誤動作を起こし易いという欠点がある。
【特許文献１】特開平２−３０４１２８号公報（第１−３図）
【発明の開示】
【発明が解決しようとする課題】
【０００３】
解決しようとする課題は、センサーが排水に直接さらされることなく耐久性に優れ、且つ、誤動作を生じることのない重量式水位検出装置を提供することにある。
【課題を解決するための手段】
【０００４】
本発明重量式水位検出装置では、水源から送水先へ至る配管路中において、上方部を流入口として上流側へ接続し下方部を流出口として下流側へ接続する計量筒が設けられ、各接続部には可撓管を介装させて重量変化で計量筒が昇降作動し得る支承態様となし、水源からの流入水の流量変化に伴う計量筒の昇降作動を受けて作動するよう重量式センサーを配備して、該重量式センサーの検出した重量信号に基づき計量筒内への流入水の筒内水位に置換判定するよう構成したことを最も主要な特徴とする。
【発明の効果】
【０００５】
本発明によれば、センサーが直接排水にさらされることがなく耐久性に優れ、また、排水中の異物が付着する余地もないので誤動作を生じるおそれもない。
【発明を実施するための最良の形態】
【０００６】
水源から送水先へ至る配管路中において、上方部を流入口とし下方部を流出口とする縦長円筒状の計量筒がほぼ垂直状に立設せられ、流入口は計量筒の内壁一側部から接線方向へ導出されて可撓管を介して上流側と接続せられ、流出口は可撓管を介して下流側と接続されて、重量変化で計量筒が昇降作動し得る支承態様となし、水源からの流入水の流量変化に伴う計量筒の昇降作動を受けて作動するよう重量式センサーを配備して、該重量式センサーの検出した重量信号に基づき計量筒内への流入水の筒内水位に置換判定するよう構成する。そして例えば、配管路の下流側を排水ポンプの吸込口へ接続し、排水ポンプの吐出口は下水本管へ通じる排水管へ接続して、重量式センサーの信号を受信した制御機関からの指令によって排水ポンプの運転制御が行われるよう電気的に接続する。
【実施例１】
【０００７】
図１において、１は建物内に設備された水源（トイレ、浴槽、洗濯機用パンなどの排水源）、２は水源１から導下されて送水先へ通じる配管路、３は配管路２の上流側２ａと下流側２ｂとの間に設けられる縦長の計量筒であり、上方部を流入口３ａとし可撓管４ａを介して上流側２ａへ接続し、下方部を流出口３ｂとし可撓管を介して下流側２ｂへ接続することにより、重量変化で計量筒３が昇降作動し得る支承態様に立設されている。５は計量筒３の筒壁下方部に設けられた開閉自在の点検口であり、誤って計量筒３内に流入した異物を取り除く場合に使用される。６は計量筒３の外側に付設されたサポーターであり、計量筒３は該サポーター６に沿って垂直姿勢を保持した状態で上下動し得るよう構成されている。７は計量筒３の底壁と対向して配備された重量式センサーであり、水源１からの流入水の流量変化に伴う計量筒３の昇降作動を受けて作動し、該重量式センサー７の検出した重量信号に基づき計量筒３内における流入水の筒内水位に置換判定するよう構成する。前記配管路２の下流側２ｂを排水ポンプ９の吸込口９ａへ接続し、排水ポンプ９の吐出口９ｂは例えば下水本管へ通じる排水管１０へ接続される。そして重量式センサー７の信号を受信した制御機関からの指令によって排水ポンプ９の運転制御が行われるよう電気的に接続する。
【実施例２】
【０００８】
図２および図３において、１は建物内に設備された水源（トイレ、浴槽、洗濯機用パンなどの排水源）、２は水源１から導下された送水先へ通じる配管路、３は配管路２の上流側２ａと下流側２ｂとの間に設けられる縦長円筒状の計量筒であり、上方部を流入口３ａとし下方部を流出口３ｂとし、流入口３ａの計量筒３の内壁一側部から接線方向へ導出されて可撓管４ａを介して上流側２ａへ接続し、流出口３ｂは可撓管４ｂを介して下流側２ｂへ接続することにより、重量変化で計量筒３が昇降作動し得る支承態様に立設されている。５は計量筒３の筒壁下方部に設けられた開閉自在の点検口であり、誤って計量筒３内に流入した異物を取り除く場合に使用される。７は計量筒３の底壁と対向して配備された重量式センサーであり、水源１からの流入水の流量変化に伴う計量筒３の昇降作動を受けて作動するが、水源１からの流入水は計量筒３の内周壁の接線方向から流入し、内壁面に沿って緩やかに流下するため計量筒３の底面に対する衝撃は緩和され、重量式センサー７は過剰に反応することなく的確に作動する。該重量式センサー７の検出した重量信号に基づき計量筒３内への流入水の筒内水位に置換判定するよう構成する。前記配管路２の下流側２ｂを排水ポンプ９の吸込口９ａへ接続し、排水ポンプ９の吐出口９ｂは例えば下水本管へ通じる排水管１０へ接続される。そして重量式センサー７の信号を受信した制御機関からの指令によって排水ポンプ９の運転制御が行われるよう電気的に接続する。
【実施例３】
【０００９】
図４において、計量筒３は流入口３ａから流出口３ｂへかけて旋回しつつ緩やかに下降するようスパイラルチューブ状に形成されている。水源１からの流入水はスパイラルチューブ状の計量筒３内を旋回しつつ流下するため鉛直方向に衝撃荷重を発生することがなく、従って重量式センサー７は異常反応すことなく的確に作動する。
【実施例４】
【００１０】
図５において、１は建物内に設備された水源（トイレ、浴槽、洗濯機用パンなどの排水源）、２は水源１から導下された送水先へ通じる配管路、３は配管路２の上流側２ａと下流側２ｂとの間に設けられる計量筒であり、上方部を流入口３ａとし下方部を流出口３ｂとし、流入口３ａから下方部へかけて旋回しつつ緩やかに下降するようスパイラルチューブ状で且つ上下方向に伸縮作用する可撓構造に構成され、流入口３ａを配管路２の上流側２ａへ接続し流出口３ｂは可撓管４ｂを介して下流側２ｂへ接続する。５は計量筒３の下方部に設けられた開閉自在の点検口であり、誤って計量筒３内に流入した異物を取り除く場合に使用される。６は計量筒３の外側に付設されたサポーターであり、計量筒３は該サポーター６に沿って垂直姿勢を保持した状態で上下動し得るよう構成されている。７は計量筒３の直下において底壁と対向して配備された重量式センサーであり、水源１からの流入水の流量変化に伴う重量変化で上下方向に伸縮する計量筒３の作用を受けて作動し、該重量の流量変化に伴う計量筒３の伸縮作用を受けて作動するが、水源１からの流入水はスパイラルチューブ状の計量筒３内を旋回しつつ流下するため鉛直方向に衝撃荷重を発生することがなく、従って重量式センサー７は異常反応すことなく的確に作動する。また、計量筒３自体が上下方向に伸縮作用する可撓構造であるため、配管路２の上流側２ａと流入口３ａとの接続部に可撓管４ａの介装が不要となる。前記重量式センサー７の検出した重量信号に基づき計量筒３内における流入水の筒内水位に置換判定するよう構成し、前記配管路２の下流側２ｂを排水ポンプ９の吸込口９ａへ接続し、排水ポンプ９の吐出口９ｂは例えば下水本管へ通じる排水管１０へ接続される。そして重量式センサー７の信号を受信した制御機関からの指令によって排水ポンプ９の運転制御が行われるよう電気的に接続する。
【実施例５】
【００１１】
図６において、計量筒３の内周面には上方部から下方部へかけて螺旋状に下降するガイドプレート３ｃが付設されている。水源１からの流入水はガイドプレート３ｃに誘導せられ計量筒３内を旋回しつつ穏やかに流下するため計量筒３の底面に対する衝撃は緩和され、重量式センサー７は過剰に反応することなく的確に作動する。
【実施例６】
【００１２】
図１ないし図６において、計量筒３は外側に付設されたサポーター６および該サポーター６と係合するガイドフック６ｆにより、垂直姿勢を保持した状態で上下動し得るよう構成されてている。従って、水源１からの流入水が多くなり一時的に滞留する水量が増加して計量筒３の重心が高くなった場合でも垂直姿勢を安定に保持することができる。
【実施例７】
【００１３】
図７において、１は建物内に設備された水源（トイレ、浴槽、洗濯機用パンなどの排水源）、２は水源１から導下された送水先へ通じる配管路、３は上方部を流入口３ａとし下方部を流出口３ｂとする計量筒であり、配管路２の上流側２ａと下流側２ｂとの間に接続される。計量筒３は上端部を固定体に支承され弾機８ｓを介して垂設されており、例えば吊下げられた支持台８に載置してもよい。更に、上流側２ａおよび下流側２ｂへの前記接続部にはそれぞれ可撓管４ａ，４ｂが介装されて、重量変化により計量筒３が昇降作動し得る支承態様となっている。従って、図１ないし図６におけるサポーター６が存在しなくても計量筒３の垂直姿勢は安定に保持させることができる。７は水源からの流入水の流量変化に伴う計量筒３の昇降作動を受けて作動するよう配備された重量式センサーであり、該重量式センサー７の検出した重量信号に基づき計量筒３内への流入水の筒内水位に置換判定するよう構成する。前記配管路２の下流側２ｂを排水ポンプ９の吸込口９ａへ接続し、排水ポンプ９の吐出口９ｂは例えば下水本管へ通じる排水管１０へ接続される。そして重量式センサー７の信号を受信した制御機関からの指令によって排水ポンプ９の運転制御が行われるよう電気的に接続する。
【実施例８】
【００１４】
図８において、１は建物内に設備された水源（トイレ、浴槽、洗濯機用パンなどの排水源）、２は水源１から導下された送水先へ通じる配管路、３は配管路２の上流側２ａと下流側２ｂとの間に傾斜状に横設された計量筒３であり、要所を吊具８ａや支持体８ｂに係止させ、上傾側を流入口３ａとして上流側２ａへ接続し下傾側を流出口３ｂとして下流側２ｂへ接続し、且つ、上流側２ａおよび下流側２ｂへの前記接続部にはそれぞれ可撓管４ａ，４ｂが介装されて重量変化により計量筒３の傾斜姿勢が変化し得る支承態様となっている。７は水源１からの流入水の流量変化に伴う計量筒３の傾斜姿勢の変化により作動するよう重量式センサーであり、水源１からの流入水は計量筒３の傾斜に沿って緩やかに流入するため鉛直方向に衝撃荷重を発生することなく、従って重量式センサー７は異常反応すことなく的確に作動する。該重量式センサー７の検出した重量信号に基づき計量筒内への流入水の筒内水位に置換判定するよう構成する。前記配管路２の下流側２ｂを排水ポンプ９の吸込口９ａへ接続し、排水ポンプ９の吐出口９ｂは例えば下水本管へ通じる排水管１０へ接続される。そして重量式センサー７の信号を受信した制御機関からの指令によって排水ポンプ９の運転制御が行われるよう電気的に接続する。
【図面の簡単な説明】
【００１５】
【図１】本発明重量式水位検出装置の実施態様を略示した説明図であって、基本的な構成事例である。
【図２】本発明重量式水位検出装置の実施態様を略示した説明図であって、水源からの流入水が円筒状計量筒の内壁面に沿って緩やかに流下するよう構成した事例を示す。
【図３】図２のＡ−Ａ線における横断平面図である。
【図４】本発明重量式水位検出装置の実施態様を略示した説明図であって、計量筒がスパイラルチューブ状に形成されている事例を示す。
【図５】本発明重量式水位検出装置の実施態様を略示した説明図であって、計量筒が上下方向に伸縮可能なスパイラルチューブ状に形成されている事例を示す。
【図６】本発明重量式水位検出装置の実施態様を略示した説明図であって、計量筒の内周面に螺旋状のガイドプレートが付設されている事例を示す。
【図７】本発明重量式水位検出装置の実施態様を略示した説明図であって、計量筒を垂設支承し昇降作動するよう構成した事例を示す。
【図８】本発明重量式水位検出装置の実施態様を略示した説明図であって、計量筒が傾斜状に横設されている事例を示す。
【符号の説明】
【００１６】
１      水源(排水源)
２      配管路
２ａ    上流側
２ｂ    下流側
３      計量筒
３ａ    流入口
３ｂ    流出口
３ｃ    ガイドプレート
４ａ    流入側の可撓管
４ｂ    流出側の可撓管
６      サポーター
６ｆ    ガイドフック
７      重量式センサー
８ｓ    弾機
【図１】
2005140669.tif 000003
【図２】
2005140669.tif 000004
【図３】
2005140669.tif 000005
【図４】
2005140669.tif 000006
【図５】
2005140669.tif 000007
【図６】
2005140669.tif 000008
【図７】
2005140669.tif 000009
【図８】
2005140669.tif 000010